(57)【特許請求の範囲】
【請求項１】
アノード電極;
前記アノード電極を区画するバンク;
前記アノード電極の上部に配置される有機発光層;および
前記有機発光層の上部に配置されるカラーフィルタを備え、
前記バンクは、前記有機発光層から放出される光を所定の色に変換して出力する色相変換膜を含み、
前記バンクは、
第１カラーフィルタが透過させる第１色相の光を放出する第１色相変換膜;および
前記第１カラーフィルタと隣接する第２カラーフィルタが透過させる第２色相の光を放出する第２色相変換膜を含み、
前記第１色相変換膜は、平面視で前記第１カラーフィルタと重畳し、前記第２色相変換膜は、平面視で前記第２カラーフィルタと重畳し、
前記バンクは、第１カラーフィルタが透過させる第１色相と、前記第１カラーフィルタと隣接する第２カラーフィルタが透過させる第２色相を混合した第３色相を放出する第３色相変換膜さらに含み、
前記第３色相変換膜は、前記第１色相変換膜と前記第２色相変換膜との間に配置されるとともに、平面視で前記第１及び第２カラーフィルタの境界部と重畳する有機発光表示装置。
【請求項２】
前記バンクは、
前記有機発光層から放出される光を遮断する光遮断層をさらに含み、
前記光遮断層は、前記第１色相変換膜と前記第２色相変換膜との間に配置される請求項１に記載の有機発光表示装置。
【請求項３】
前記光遮断層は、平面視で前記第１及び第２カラーフィルタの境界部と重畳する請求項２に記載の有機発光表示装置。
【請求項４】
前記バンクは、
前記色相変換膜の上部に形成され、前記有機発光層から放出される光を散乱させる散乱層をさらに含む請求項１に記載の有機発光表示装置。
【請求項５】
映像を表示する有機発光表示装置；
前記有機発光表示装置を収納するディスプレイ収納ケース；および
前記ディスプレイ収納ケースの一側に配置され、前記有機発光表示装置の映像が提供される左眼レンズと右眼レンズを備え、
前記有機発光表示装置は、
アノード電極;
前記アノード電極を区画するバンク;
前記アノード電極の上部に配置される有機発光層;および
前記有機発光層の上部に配置されるカラーフィルタを備え、
前記バンクは、前記有機発光層から放出される光を所定の色に変換して出力する色相変換膜を含み、
前記バンクは、
第１カラーフィルタが透過させる第１色相の光を放出する第１色相変換膜;および
前記第１カラーフィルタと隣接する第２カラーフィルタが透過させる第２色相の光を放出する第２色相変換膜を含み、
前記第１色相変換膜は、平面視で前記第１カラーフィルタと重畳し、前記第２色相変換膜は、平面視で前記第２カラーフィルタと重畳し、
前記バンクは、第１カラーフィルタが透過させる第１色相と、前記第１カラーフィルタと隣接する第２カラーフィルタが透過させる第２色相を混合した第３色相を放出する第３色相変換膜さらに含み、
前記第３色相変換膜は、前記第１色相変換膜と前記第２色相変換膜との間に配置されるとともに、平面視で前記第１及び第２カラーフィルタの境界部と重畳する
ヘッドマウントディスプレイ。
【発明の詳細な説明】
【技術分野】
【０００１】
本発明は、有機発光表示装置と、それを含むヘッドマウントディスプレイに関するものである。
【背景技術】
【０００２】
情報化社会が発展するにつれて映像を表示するための表示装置への要望が様々な形で高まっている。これに従い、最近では、液晶表示装置（LCD：Liquid Crystal Display）、プラズマ表示装置（PDP：Plasma Display Panel）、有機発光表示装置（OLED：Organic Light Emitting Display）などの様々な表示装置が活用されている。
【０００３】
表示装置のうち、有機発光表示装置は、自己発光型であり、液晶表示装置（LCD）に比べて視野角、コントラスト比などに優れており、別個のバックライトを必要としないため軽量薄型化が可能で、消費電力において有利な利点がある。また、有機発光表示装置は、直流低電圧駆動が可能であり、応答速度が速く、特に製造コストが安価な長所がある。
【０００４】
有機発光表示装置は、アノード電極、アノード電極を区画するバンク、およびアノード電極上に形成される正孔輸送層（hole transporting layer）、有機発光層（organic light emitting layer）、電子輸送層（electron transporting layer）、および電子輸送層上に形成されるカソード電極を含む。ここで、アノード電極に高電位の電圧が印加され、カソード電極に低電位電圧が印加されると、正孔と電子がそれぞれ正孔輸送層と電子輸送層を通じて有機発光層に移動し、有機発光層で互いに結合して発光することになる。また、有機発光表示装置は、混色を防止するために、バンクに対応する位置に光を吸収することができる物質を含むブラックマトリックス（black matrix）をさらに含むことができる。
【０００５】
一方、最近では、有機発光表示装置を含むヘッドマウントディスプレイ（Head Mounted Display,HMD）が開発されている。ヘッドマウントディスプレイは、眼鏡やヘルメットの形態で着用して、使用者の目の前に近い距離に焦点が形成されるバーチャルリアリティ（Virtual Reality,VR）のメガネ型モニター装置である。しかし、ヘッドマウントディスプレイの場合、使用者の目の前にすぐに有機発光表示装置の映像が見えるので、図１のように、非発光領域が格子形状に見える問題がある。
【発明の概要】
【発明が解決しようとする課題】
【０００６】
したがって、本発明は、従来技術の限界及び欠点に起因する１つ以上の問題を実質的に解消する透明な表示装置を提供することを目的とする。
【０００７】
本発明の実施例は、非発光領域が格子形状に表示されるのを防止することができる有機発光表示装置と、それを含むヘッドマウントディスプレイを提供する。
【０００８】
本発明のさらなる利点および特徴は、以下の説明に部分的に記載され、以下を検討することにより当業者に明らかになるか、または本発明の実施例から学ぶことができる。本発明の目的および他の利点は、明細書および添付の図ならびに添付の図で特に指摘された構造によって実現および達成され得る。
【課題を解決するための手段】
【０００９】
本発明は、アノード電極、アノード電極を区画し、アノード電極のそれぞれの端部を覆うバンク、アノード電極の上部に配置される有機発光層および有機発光層の上部に配置されるカラーフィルタを備え、バンクは、有機発光層から放出される光を所定の色に変換して出力する色相変換膜を含む。
【００１０】
前述した一般的な説明及び以下の本発明の詳細な説明は、例示的及び説明的なものであって、本発明の特許請求の範囲の記載に対してさらなる説明を提供することを意図するものであることを理解されたい。
【図面の簡単な説明】
【００１１】
本出願に添付された本出願の一部を構成する図は、本発明の実施例を示して本発明のさらなる理解を提供し、明細書と共に本発明の原理を説明する役割を果たす。
【図１】従来のヘッドマウントディスプレイで表示される映像の格子形状の一例を示した図である。
【図２】本発明の実施例による有機発光表示装置の一例を示した図である。
【図３】図２の第１実施例による表示領域の一部を示した平面図である。
【図４】図３のＩ−Ｉ’の実施例に係る断面図である。
【図５】図３のＩ−Ｉ’の実施例に係る断面図である。
【図６】図３のＩ−Ｉ’の実施例に係る断面図である。
【図７】図３のＩ−Ｉ’の実施例に係る断面図である。
【図８】図３のＩ−Ｉ’の実施例に係る断面図である。
【図９】図３のＩ−Ｉ’の実施例に係る断面図である。
【図１０ａ】本発明の実施例に係るヘッドマウントディスプレイの一例を示した図である。
【図１０ｂ】本発明の実施例に係るヘッドマウントディスプレイの一例を示した図である。
【図１１】図１０ａ及び図１０ｂのディスプレイ収納ケースの一例を示した図である。
【図１２】図１０ａ及び図１０ｂのディスプレイ収納ケースの一例を示した図である。
【図１３】本発明の実施例に係るヘッドマウントディスプレイで表示された映像の一例を示した図である。
【発明を実施するための形態】
【００１２】
本発明の例示的な実施例を詳細に説明する、添付の図に示されている参照番号は、図全体を通じて可能な限り、同一の参照番号は同一または同様の部分を指すために使用する。
【００１３】
本発明の利点および特徴、そしてそれらを達成する方法は、添付の図とともに詳細に後述されている実施例を参照すると明確になるであろう。しかし、本発明は、以下で開示される実施例に限定されるものではなく、異なる多様な形態で具現されるものであり、単に本実施例は、本発明の開示を完全にして本発明が属する技術分野で通常の知識を有する者に発明の範疇を完全に知らせるために提供されているものであり、本発明は、請求項の範疇によって定義される。
【００１４】
本発明の実施例を説明するために図で開示された形状、大きさ、比率、角度、数などは例示的なものなので、本発明は、図示された事項に限定されるものではない。明細書全体にわたって同一参照符号は同一の構成要素を指す。また、本発明を説明するに当たって、関連する公知技術に対する具体的な説明が本発明の要旨を不必要に曖昧にすると判断された場合、その詳細な説明は省略する。
【００１５】
本明細書で言及する「含む」、「有する」、「なされる」などが用いられている場合は、「〜のみ」が使用されていない限り、他の部分が追加され得る。構成要素を単数で表現する場合、特に明示的な記載事項がない限り、複数を含む場合を含む。
【００１６】
構成要素を解釈するに当たり、別途の明示的な記載がなくても誤差の範囲を含むものと解釈する。
【００１７】
位置関係の説明の場合、例えば、「〜上に」、「〜上部に」、「〜下部に」、「〜の横に」など２つの部分の位置関係が説明されている場合、「すぐ」または「直接」が使用されていない限り、二つの部分の間に１つ以上の他の部分が位置することもできる。
【００１８】
時間関係に対する説明の場合、例えば、「〜後に」、「〜に続いて」、「〜次に」、「〜前に」など、時間的前後関係が説明されている場合、「すぐ」または「直接」が使用されていない以上、連続していない場合も含むことができる。
【００１９】
第１、第２など、多様な構成要素を記述するために使用されるが、これらの構成要素はこれらの用語によって制限されない。これらの用語は、ただ一つの構成要素を他の構成要素と区別するために使用されるものである。したがって、以下で言及される第１構成要素は、本発明の技術的思想内で第２構成要素であり得る。
【００２０】
「X軸方向」、「Y軸方向」および「Z軸方向」とは、互いの関係が垂直方向に成り立った幾何学的な関係だけに解釈してはならず、本発明の構成は、機能的に作用し得る範囲内より広い方向性を有することを意味し得る。
【００２１】
「少なくとも一つ」の用語は、一つ以上の関連項目から提示可能なすべての組み合わせを含むことができると理解されなければならない。例えば、「第１項目、第２項目及び第３項目の中から少なくとも一つ」の意味は、第１項目、第２項目または第３項目の各々のみならず、第１項目、第２項目及び第３項目の中から２以上から提示し得るすべての項目の組み合わせを意味し得る。
【００２２】
本発明のいくつかの実施例のそれぞれの特徴が部分的にまたは全体的に互いに結合または組み合わせ可能で、技術的に多様な連動および駆動が可能であり、各実施例は、互いに独立して実施可能であり得、連関関連によって一緒に実施することもできる。
【００２３】
以下、図を参照して本発明の好ましい実施例に対して詳細に説明することにする。
【００２４】
第１実施例
図２は、本発明の第１実施例に係る有機発光表示装置の一例を示した図である。図２を参照すると、本発明の第１実施例に係る有機発光表示装置１００は、表示パネル１１０、ゲート駆動部１２０、ディスプレイドライバ（display driver,１３０）、および軟性フィルム１４０を含む。
【００２５】
表示パネル１１０は、下部基板１１１と上部基板１１２を含む。上部基板１１２は、封止基板であり得る。下部基板１１１は、上部基板１１２よりも大きく形成され得、それによって下部基板１１１の一部は、上部基板１１２によって覆われないで露出し得る。
【００２６】
表示パネル１１０の表示領域（DA）には、ゲートライン、データライン及び発光領域が形成される。ゲートラインとデータラインは、互いに交差するように形成される。例えば、ゲートラインはY軸方向に形成され、データラインはX軸方向に形成され得る。発光領域は、ゲートラインとデータラインの交差領域に形成される。表示領域（DA）の発光領域は、映像を表示する。表示領域（DA）の詳細な説明は、図３及び図４をまとめて後述する。
【００２７】
ゲート駆動部１２０は、ディスプレイドライバ１３０から入力するゲート制御信号に応じてゲートラインにゲート信号を供給する。ゲート駆動部１２０は、表示パネル１１０の表示領域（DA）の一側の外側の非表示領域（NDA）にGIP（gate driver in panel）方式で形成するか、駆動チップに製作して軟性フィルムに実装してTAB（tape automated bonding）方式で表示パネル１１０の表示領域（DA）の一側外側の非表示領域（NDA）に付着することもできる。
【００２８】
ディスプレイドライバ１３０は、外部のシステムボードからデジタルビデオデータとタイミング信号が入力する。ディスプレイドライバ１３０は、タイミング信号に基づいて、ゲート駆動部１２０の動作タイミングを制御するためのゲート制御信号とデータラインにデータ電圧の供給を制御するためのソース制御信号を発生する。ディスプレイドライバ１３０は、ゲート制御信号をゲート駆動部１２０に供給する。
【００２９】
ディスプレイドライバ１３０は、ソース制御信号に応じて、デジタルビデオデータをアナログデータ電圧に変換してデータラインに供給する。ディスプレイドライバ１３０が駆動チップに製作される場合、COF（chip on film）またはCOP（chip on plastic）方式で軟性フィルム１４０に実装することができる。
【００３０】
下部基板１１１の大きさは、上部基板１１２の大きさよりも大きいので、下部基板１１１の一部は、上部基板１１２によって覆われないで露出することができる。上部基板１１２によって覆われないで露出した下部基板１１１の一部には、パッドを形成することができる。パッドは、データラインと接続したデータパッドとゲート駆動部１２０に接続したゲートパッドを含む。軟性フィルム１４０には、パッドとディスプレイドライバ１３０を接続する導電性配線を形成することができる。軟性フィルム１４０は、異方性導電フィルム（antisotropic conducting film）を用いて、パッド上に付着され、それによってパッドと軟性フィルム１４０の導電性配線が接続され得る。
【００３１】
図３は、図２の表示領域の一部を示した平面図である。図３では説明の便宜上、発光領域（RE、GE、BE）と散乱層（SCL）だけを示した。
【００３２】
図３を参照すると、発光領域（RE、GE、BE）は、有機発光層から所定の光を発光する。発光領域は、赤色光を発光する赤色発光領域（RE）、緑色光を発光する緑色発光領域（GE）、および青色光を発光する青色発光領域（BE）を含むことができる。ここで、赤色発光領域（RE）、緑色発光領域（GE）、および青色発光領域（BE）は、一つの画素として機能することができる。
【００３３】
一方、発光領域は、赤色発光領域（RE）、緑色発光領域（GE）および青色発光領域（BE）だけでなく、白色光を発光する白色発光領域をさらに含むこともでき、この場合、赤色発光領域（RE）、緑色発光領域（GE）、青色発光領域（BE）および白色発光領域が一つの画素として機能することができる。
【００３４】
発光領域（RE、GE、BE）は、バンクによって区画される。すなわち、発光領域（RE、GE、BE）の間には、バンクが配置される。
【００３５】
図４は、本発明の第１実施例に係る図３のＩ−Ｉ’の断面図である。
【００３６】
図４を参照すると、下部基板１１１上に薄膜トランジスタ２１０が形成される。薄膜トランジスタ２１０のそれぞれは、半導体層２１１、ゲート電極２１２、ソース電極２１３およびドレイン電極２１４を含む。図４では、薄膜トランジスター２１０が、ゲート電極２１２が半導体層２１１の上部に位置する上部ゲート（トップゲート、top gate）方式で形成された例を示したが、これに限定されないことに注意しなければならない。つまり、薄膜トランジスタ２１０は、ゲート電極２１２が半導体層２１１の下部に位置する下部ゲート（ボトムゲート、bottom gate）方式、またはゲート電極２１２が半導体層２１１の上部と下部の両方に位置するダブルゲート（double gate）方式で形成することができる。
【００３７】
下部基板１１１上には、半導体層２１１が形成される。下部基板１１１と半導体層２１１の間には、半導体層２１１を保護して半導体層２１１の界面接着力を高めるためのバッファ膜（未図示）を形成することができる。バッファ膜（未図示）は、複数の無機膜を含むことができる。半導体層２１１の上には、層間絶縁膜２２０を形成することができる。層間絶縁膜２２０の上には、ゲート電極２１２を形成することができる。ゲート電極２１２の上には、ゲート絶縁膜２３０を形成することができる。ゲート絶縁膜２３０の上には、ソース電極２１３及びドレイン電極２１４を形成することができる。ソース電極２１３及びドレイン電極２１４のそれぞれは、層間絶縁膜２２０と、ゲート絶縁膜２３０を貫通するコンタクトホールを通じて半導体層２１１に接続することができる。
【００３８】
ソース電極２１３及びドレイン電極２１４の上には、平坦化膜２４０を形成することができる。平坦化膜２４０は、バンク２５５によって区画される画素を平坦に配列するための膜である。平坦化膜２４０は、フォトアクリル（photo acryl）およびポリイミド（polyimide）のようなレジン（resin）で形成することができる。
【００３９】
平坦化膜２４０上には、有機発光素子が形成される。有機発光素子のそれぞれは、アノード電極２５１、有機発光層２５３、およびカソード電極２５４を含み、バンク２５５によって区画される。
【００４０】
平坦化膜２４０上には、アノード電極２５１が形成される。アノード電極２５１のそれぞれは、平坦化膜２４０を貫通するコンタクトホールを通じてドレイン電極２１４に接続される。
【００４１】
バンク２５５は、アノード電極２５１を区画する。バンク２５５は、アノード電極２５１のそれぞれの端部を覆うように形成される。本発明の第１実施例に係る有機発光表示装置で、バンク２５５の表面には、有機発光層２５３から放出される光を吸収して、吸収した光の周波数を変換させる励起過程を経た後に放出する色相変換膜３３０を配置することができる。
【００４２】
色相変換膜３３０は、有機発光層２５３から放出される光を吸収した後、色相を変換して放出する。色相変換膜３３０は、色相変換物質（color changing material,CCM）または蛍光励起物質を含むことができる。色相変換膜３３０は、紫外線光を吸収した後、可視光線を放出することができる。
【００４３】
光の波長が短いほど、光のエネルギーが大きく、逆に光の波長が長いほど、エネルギーは小さい。色相変換物質または蛍光励起物質は、波長が可視光線より短い紫外線光を吸収して、光エネルギーを吸収して可視光線帯域の波長に励起させた後、励起した可視光線を放出する。
【００４４】
色相変換膜３３０は、赤色変換膜３３１、緑色変換膜３３２、及び青色変換膜３３３を含むことができる。バンク２５５は、複数の色相変換膜を含むことができる。赤色変換膜３３１は、赤色カラーフィルタ３１１と重畳し、緑色変換膜３３２は、緑色カラーフィルタ３１２と重畳し、青色変換膜３３３は、青色カラーフィルタ３１３と重畳する。
【００４５】
バンク２５５が赤色発光領域（RE）と緑色発光領域（GE）にわたって形成される場合、バンク２５５は、赤色変換膜３３１と緑色変換膜３３２からなり得る。赤色発光領域（RE）に形成された赤色カラーフィルタ３１１と重畳するように赤色変換膜３３１を配置して、緑色発光領域（GE）に形成された緑色カラーフィルタ３１２と重畳するように緑色変換膜３３２を配置する。これにより、バンク２５５の中の赤色変換膜３３１から放出される赤色光は、赤色カラーフィルタ３１１を透過することができ、緑変換膜３３２から放出される緑色光は、緑色カラーフィルタ３１２を透過することができ、光を効率的に用いることができ、本来非発光領域であったバンク２５５が発光することができる。
【００４６】
バンク２５５が緑色発光領域（GE）と青色発光領域（BE）にわたって形成される場合、バンク２５５は、緑色変換膜３３２と青色変換膜３３３からなり得る。緑色発光領域（GE）に形成された緑色カラーフィルタ３１２と重畳するように緑色変換膜３３２を配置して、青色発光領域（BE）に形成された青色カラーフィルタ３１３と重畳するように青色変換膜３３３を配置する。これにより、バンク２５５の中の緑色変換膜３３２から放出される緑色光は、緑色カラーフィルタ３１２を透過することができ、青色変換膜３３３から放出される青色光は、青色カラーフィルタ３１３を透過することができ、光を効率的に用いることができ、本来非発光領域であったバンク２５５が発光することができる。
【００４７】
バンク２５５が青色発光領域（BE）と赤色発光領域（RE）にわたって形成される場合、バンク２５５は、青色変換膜３３３と赤色変換膜３３１からなり得る。青色発光領域（BE）に形成された青色カラーフィルタ３１３と重畳するように青色変換膜３３３を配置して、赤色発光領域（RE）に形成された赤色カラーフィルタ３１１と重畳するように赤色変換膜３３１を配置する。これにより、バンク２５５の中の青色変換膜３３３から放出される青色光は、青色カラーフィルタ３１３を透過することができ、赤色変換膜３３１から放出される赤色光は、赤色カラーフィルタ３１１を透過することができ、光を効率的に用いることができ、本来非発光領域であったバンク２５５が発光することができる。
【００４８】
すなわち、バンク２５５上に色相変換膜３３０が形成されていない場合、非発光領域に対応するバンク２５５がそのまま視認され得る。しかし、バンク２５５上に色相変換膜３３０を形成する場合、バンクも隣接する発光領域（RE、GE、BE）のような色相の光を放出するので、バンク２５５がほぼ視認されないことが起こり得る。
【００４９】
アノード電極２５１とバンク２５５の上に有機発光層２５３が形成される。有機発光層２５３のそれぞれは、正孔輸送層（hole transporting layer）、発光層（light emitting layer）、および電子輸送層（electron transporting layer）を含むことができる。この場合、アノード電極２５１とカソード電極２５４に電圧が印加されると正孔と電子がそれぞれ正孔輸送層と電子輸送層を通じて発光層に移動することになり、発光層で互いに結合して発光するようになる。
【００５０】
有機発光層２５３は、紫外線（ultraviolet,UV）光を発光するUV発光層または白色光を発光する白色発光層を含むことができる。この場合、UV発光層または白色発光層は、表示領域（DA）の全面に形成することができる。または、有機発光層２５３は、赤色光を発光する赤色発光層、緑色光を発光する緑色発光層、青色光を発光する青色発光層を含むことができ、この場合、赤色発光層は、赤色発光領域（RE）のみに形成され、緑色発光層は、緑色発光領域（GE）のみに形成され、青色発光層は、青色発光領域（BE）のみに形成することができる。
【００５１】
カソード電極２５４は、有機発光層２５３とバンク２５５を覆うように有機発光層２５３とバンク２５５の上に形成される。
【００５２】
有機発光表示装置は、上部発光（top emission）方式で実装することができる。上部発光方式では、有機発光層２５３の光が上部基板１１２方向に発光するので、薄膜トランジスタ２１０をバンク２５５とアノード電極２５１の下に広く設けることができる。つまり、上部発光方式は、下部発光（bottom emssion）方式に比べて薄膜トランジスタ２１０の設計領域が広いという長所がある。また、上部発光方式では、マイクロキャビティ（micro cavity）効果を得るために、アノード電極２５１がアルミニウム、およびアルミニウムとITOの積層構造のような反射率の高い金属材料で形成されることが好ましい。さらに、上部発光方式では、有機発光層２５３の光が上部基板１１２方向に発光するので、カソード電極２５４は、光を透過させることができるITO、IZOのような透明な金属物質で形成するか、またはマグネシウム（Mg）、銀（Ag）、またはマグネシウム（Mg）と銀（Ag）のような半透明の金属物質で形成することができる。
【００５３】
カソード電極２５４上には、封止膜２６０が形成される。封止膜２６０は、有機発光層２５３に酸素または水分が浸透することを防止する役割をする。このため、封止膜２６０は、第１無機膜２６１、有機膜２６２及び第２無機膜２６３を含むことができる。
【００５４】
第１無機膜２６１は、カソード電極２５４を覆うようにカソード電極２５４上に形成される。有機膜２６２は、異物（particles）が第１無機膜２６１を突破して有機発光層２５３とカソード電極２５４に投入されるのを防止するために、第１無機膜２６１上に形成される。第２無機膜２６３は、有機膜２６２を覆うように有機膜２６２上に形成される。
【００５５】
第１無機膜２６１および第２無機膜２６３のそれぞれは、シリコン窒化物、窒化アルミニウム、ジルコニウム窒化物、チタン窒化物、ハフニウム窒化物、タンタル窒化物、シリコン酸化物、アルミニウム酸化物またはチタン酸化物で形成することができる。例えば、第１および第２無機膜の２６１、２６３のそれぞれは、SiO2、Al2O3、SiON、SiNxで形成することができる。有機膜２６２は、有機発光層２５３から発光された光を通過させるために透明に形成することができる。
【００５６】
下部基板１１１と上部基板１１２は、透明接着層４００によって合着される。透明接着層４００は、透明な接着レジンであり得る。詳細には、透明接着層４００は、下部基板１１１の第２無機膜２６３と上部基板１１２を接着する。
【００５７】
以上で説明したように、本発明の第１実施例に係る有機発光表示装置は、バンク２５５が色相変換膜３３０を含む。その結果、本発明の第１実施例に係る有機発光表示装置は、発光領域（RE、GE、BE）の端部に形成されたバンク２５５に隣接する発光領域（RE、GE、BE）のような色相の光を放出するので、バンク２５５がほぼ視認され得ない。したがって、本発明の第１実施例に係る有機発光表示装置は、ヘッドマウントディスプレイに適用してもバンク２５５が格子形状に視認されることを防止することができる。ヘッドマウントディスプレイの詳細な説明は、図１０ａ、図１０ｂ、図１１及び図１２をまとめて後述する。
【００５８】
第２実施例
図５は、本発明の第２実施例に係る図３のＩ−Ｉ’の断面図である。図５では、バンク２５５を除いて、図４で説明したのと実質的に同一である。以下では、説明の便宜上、図４と実質的に同一の構成に対する詳細な説明は省略する。
【００５９】
バンク２５５は、アノード電極２５１を区画する。バンク２５５は、アノード電極２５１のそれぞれの端部を覆うように形成される。
【００６０】
バンク２５５は、隣接する発光領域間の色相の変化を緩やかにするために、図６のように赤色、緑色、および青色のうち2つの色を混合した色に変換することができる第３色相変換膜を第１色相変換膜と第２色相変換膜の間にさらに含むことができる。第３色相変換膜は、第１カラーフィルタと第２カラーフィルタの境界部に重畳することができる。
【００６１】
赤色発光領域（RE）と緑色発光領域（GE）との間に設けられたバンクは、赤色変換膜３３１と緑色変換膜３３２との間に赤色と緑色を混合した黄色変換膜３３４をさらに含むことができる。緑色発光領域（GE）と青色発光領域（BE）との間に設けられたバンクは、緑色変換膜３３２と緑色変換膜３３３との間に緑色と青色を混合したシアン変換膜３３５をさらに含むことがている。青色発光領域（BE）と赤色発光領域（RE）との間に設けられたバンクは、青色変換膜３３３と赤色変換膜３３１との間に青色と赤色を混合した紫色変換膜３３６をさらに含むことができる。
【００６２】
以上で説明したように、本発明の第２実施例は、赤色、緑色、および青色のうち2つの色を混合した色に変換することができる第３色相変換膜を第１色相変換膜と第２色相変換膜との間にさらに含むことができる。その結果、本発明の第２実施例に係る有機発光表示装置は、隣接する発光領域間の色の変化を緩やかにすることができる。したがって、本発明の第２実施例に係る有機発光表示装置は、ヘッドマウントディスプレイに適用しても隣接する発光領域間の色相の変化を緩やかにすることができる。ヘッドマウントディスプレイの詳細な説明は、図１０ａ、図１０ｂ、図１１及び図１２をまとめて後述する。
【００６３】
第３実施例
図６は、本発明の第３実施例に係る図３のＩ−Ｉ’の断面図である。図６は、バンク２５５を除いては、図４で説明したのと実質的に同一である。以下では、説明の便宜上、図４と実質的に同一の構成に対する詳細な説明は省略する。
【００６４】
バンク２５５は、アノード電極２５１を区画する。バンク２５５は、アノード電極２５１のそれぞれの端部を覆うように形成される。
【００６５】
バンク２５５は、隣接する発光領域との間の混色を防止するために、図7のように光を吸収する光遮断層３４０を赤色変換膜３３１と緑色変換膜３３２、緑色変換膜３３２と青色変換膜３３３、及び青色変換膜３３３と赤色変換膜３３１との間にさらに含むことができる。光遮断層３４０は、第１カラーフィルタと第２カラーフィルタの境界部に重畳することができる。
【００６６】
以上で説明したように、本発明の第３実施例は、赤色、緑色、および青色のうち2つの色の混色を防止するために光を吸収する光遮断層３４０を第１色相変換膜と第２色相変換膜の間にさらに含むことができる。その結果、本発明の第３実施例に係る有機発光表示装置は、隣接する発光領域間の混色を防止することができる。したがって、本発明の第３実施例に係る有機発光表示装置は、ヘッドマウントディスプレイに適用しても隣接する発光領域間の混色を防止することができる。ヘッドマウントディスプレイの詳細な説明は、図１０ａ、図１０ｂ、図１１及び図１２をまとめて後述する。
【００６７】
第４実施例
図７は、本発明の第４実施例に係る図３のＩ−Ｉ’の断面図である。図７では散乱層（SCL）を除いては、図４において説明したのと実質的に同一である。以下では、説明の便宜上のために、図４と実質的に同一の構成に対する詳細な説明は省略する。
【００６８】
バンク２５５上に散乱層（SCL）が形成される。散乱層（SCL）は、光を散乱させることができる散乱体を含む。散乱体はTiO2、ZrO2のような高屈折金属酸化物であり得る。散乱体の大きさは、100ｎｍ〜300ｎｍであり、散乱体は散乱層（SCL）内に5％〜30％含むことが好ましい。散乱体の大きさが100ｎｍよりも小さいか、散乱体が散乱層（SCL）内に5％未満で含まれる場合、光散乱効果が低くなることがある。散乱体の大きさが300ｎｍより大きいか、散乱体が30％を超えて含まれる場合は、光透過率が低くなることがある。
【００６９】
散乱層（SCL）は、バンク２５５と、重畳するように形成される。これにより、散乱層（SCL）は、バンク２５５上に形成された色相変換膜３３０から放出される光を散乱させることができる。色相変換膜３３０から放出される光が散乱されるので、散乱した光によってバンク２５５が視認されることを防止することができる。
【００７０】
一方、散乱層（SCL）と発光領域（RE、GE、BE）それぞれが互いに重畳する面積が広いほど散乱層（SCL）によって散乱される光が多くなるので、散乱層（SCL）の散乱効果は大きくなり得る。しかし、散乱層（SCL）の散乱効果が大きくなりすぎる場合、映像がぼやけて見えるヘイズ（haze）が発生する問題がある。したがって、散乱層（SCL）と発光領域（RE、GE、BE）それぞれが互いに重なる面積は、事前実験を通じて事前に定めることができる。
【００７１】
以上で説明したように、本発明の第４実施例は、バンク２５５上に散乱層（SCL）を形成する。その結果、色相変換膜３３０から放出される光が散乱するので、散乱した光によってバンク２５５がほぼ視認され得ない。したがって、本発明の第４実施例に係る有機発光表示装置は、ヘッドマウントディスプレイに適用してもバンク２５５が格子形状に見えることを防止することができる。ヘッドマウントディスプレイの詳細な説明は、図１０ａ、図１０ｂ、図１１及び図１２をまとめて後述する。
【００７２】
第５実施例
図８及び図９は、本発明の第５実施例に係る図３のＩ−Ｉ’の断面図である。図８及び図９は、バンク２５５および偏光板２７０を除いて、図４において説明したのと実質的に同一である。以下では、説明の便宜上、図４と実質的に同一の構成に対する詳細な説明は省略する。
【００７３】
図８のように、バンク２５５は、有機膜（OL）、反射層（RL）、および散乱層（SCL）を含むことができる。
【００７４】
有機膜（OL）は、アノード電極２５１を区画する。有機膜（OL）は、バンク２５５の位置と形状を維持する。有機膜（OL）は、反射層（RL）が移動しないように固定することができる。有機膜（OL）の内部には、有機発光層２５３から放出される光が入射しない。したがって、有機膜（OL）は、光の特性に関係なしにバンク２５５を容易に形成することができるすべての種類の物質で形成することができる。
【００７５】
反射層（RL）は、有機膜（OL）の表面を覆う。反射層（RL）は、有機発光層２５３から放出される光を反射させる。反射層（RL）の形態は、隣接する有機発光層２５３との混色を防止するために傾斜面を形成したテーパー（taper）型であり得る。反射層（RL）は、反射率の高いすべての種類の物質で形成することができる。
【００７６】
散乱層（SCL）は、反射層の表面を覆う。散乱層（SCL）は、本発明の第３実施例に係る散乱層（SCL）と実質的に同じで、これに対する詳細な説明は省略する。
【００７７】
または、図９のように、バンク２５５は、光遮断層３４０および散乱層（SCL）を含むことができる。
【００７８】
光遮断層３４０は、バンク２５５の内部層を形成する。光遮断層３４０は、バンク２５５の位置と形状を維持して、有機発光層２５３から放出される光を吸収する。光遮断層３４０は、ブラックバンクまたはグレーバンクで形成することができる。光遮断層３４０は、光を吸収することができる物質または反射率が20％以下の物質で形成することができる。
【００７９】
散乱層（SCL）は、光遮断層３４０の表面を覆う。散乱層（SCL）は、本発明の第４実施例に係る散乱層（SCL）と実質的に同じで、これに対する詳細な説明は省略する。
【００８０】
上部基板１１２上には、偏光板２７０を付着することができる。偏光板２７０は、外部光が、上部基板１１２、カソード電極２５４およびアノード電極２５１によって、使用者に反射することを防止するためのものである。つまり、本発明の第５実施例は、上部基板１１２上に偏光板２７０を付着することにより、外部光により発光領域（RE、GE、BE）が表示する映像の視認性が低くなることを防止することができる。
【００８１】
以上で説明したように、本発明の第５実施例は、バンク２５５を有機膜（OL）、反射層（RL）、および散乱層（SCL）で形成する。その結果、本発明の第５実施例による有機発光表示装置は、有機発光層２５３から放出される光が反射層（RL）で反射した後、散乱層（SCL）で散乱するので、散乱した光によって非発光領域に対応するバンク２５５がほぼ視認され得ない。したがって、本発明の第５実施例による有機発光表示装置は、ヘッドマウントディスプレイに適用しても、非発光領域が格子形状に表示されることを防止することができる。
【００８２】
図１０ａ及び図１０ｂは、本発明の実施例に係るヘッドマウントディスプレイの例を示した図である。
【００８３】
図１０ａ及び図１０ｂを参照すると、本発明の実施例に係るヘッドマウントディスプレイ（HMD）は、ディスプレイ収納ケース１０、左眼レンズ２０aと右眼レンズ２０b、およびヘッド装着バンド３０を含む。
【００８４】
ディスプレイ収納ケース１０は、ディスプレイ装置を収納し、左眼レンズ２０aと右眼レンズ２０bにディスプレイ装置の映像を提供する。ディスプレイ装置は、本発明の実施例による有機発光表示装置であり得る。本発明の実施例による有機発光表示装置は、図２〜図９で、既に前詳しく説明した。
【００８５】
ディスプレイ収納ケース１０は、左眼レンズ２０aと右眼レンズ２０bに同じ映像を提供するように設計することができる。または、左眼レンズ２０aには、左眼映像が表示され、右眼レンズ２０bには、右眼映像が表示されるように設計することができる。
【００８６】
ディスプレイ収納ケース１０内には、図１２に示したように左眼レンズ２０aの前に配置される左眼用有機発光表示装置１１と右眼レンズ２０bの前に配置される右眼用有機発光表示装置１２を収納できる。図１２には、ディスプレイ収納ケース１０を上から見た時の断面図が示されている。左眼用有機発光表示装置１１は、左眼映像を表示し、右眼用有機発光表示装置１２は、右眼映像を表示することができる。これにより、左眼用有機発光表示装置１１に表示される左眼映像は、左眼レンズ２０aを通じて使用者の左眼（LE）に示し、右眼用有機発光表示装置１１に表示される右眼映像は、右眼レンズ２０bを通じて使用者の右眼（RE）に示すことができる。
【００８７】
ディスプレイ収納ケース１０内には、図13のように左眼レンズ２０aと右眼レンズ２０bの前に配置されるミラー反射板１３と鏡反射板１３上に配置される有機発光表示装置１４が収納され得る。図１３には、ディスプレイ収納ケース１０を横から見た時の断面図が示されている。有機発光表示装置１４は、ミラー反射板１３方向に映像を表示して、ミラー反射板１３は、有機発光表示装置１４の映像を左眼レンズ２０aと右眼レンズ２０bの方向に全反射する。これにより、有機発光表示装置１４に表示される映像を、左眼レンズ２０aと右眼レンズ２０bに提供することができる。図１３は、説明の便宜上、左眼レンズ２０aと使用者の左眼（LE）のみ示した。
【００８８】
ディスプレイ収納ケース１０の一側面には、左眼レンズ２０aと右眼レンズ２０bが配置される。左眼レンズ２０aと右眼レンズ２０bは、ディスプレイ収納ケース１０を覗いて見ることができるように形成されている。左眼レンズ２０aには、使用者の左眼が位置し、右眼レンズ２０bには、使用者の右眼が位置することができる。
【００８９】
左眼レンズ２０aと右眼レンズ２０bのそれぞれは、凸レンズであり得る。この場合、左眼レンズ２０aと右眼レンズ２０bによって、ディスプレイ収納ケース１０に表示される映像は、使用者に拡大して見え得る。または、左眼レンズ２０aと右眼レンズ２０bのそれぞれは、ディスプレイ収納ケース１０に表示される映像を拡大または縮小するための機能を有しない場合もある。
【００９０】
ヘッド装着バンド３０は、ディスプレイ収納ケース１０に固定される。ヘッド装着バンド３０は、使用者の頭の上面と両側面を囲むように形成された例を示したが、これに限定されない。ヘッド装着バンド３０は、使用者の頭にヘッドマウントディスプレイを固定するためのもので、メガネフレームの形態やヘルメットの形態に形成することもできる。
【００９１】
一方、従来のヘッドマウントディスプレイは、使用者の目の前にすぐに有機発光表示装置の映像が見えるので、図1のように、非発光領域が格子形状に見える問題がある。しかし、本発明の実施例に係るヘッドマウントディスプレイは、バンク２５５が色相変換膜３３０を含む。その結果、本発明の実施例による有機発光表示装置は、発光領域（RE、GE、BE）の端部に形成されたバンク２５５に隣接する発光領域（RE、GE、BE）のような色相の光を放出するので、バンク２５５がほぼ視認され得ない。したがって、本発明の実施例に係るヘッドマウントディスプレイは、有機発光表示装置の非発光領域が格子形状に表示されることを防止することができる。
【００９２】
また、本発明の実施例に係るヘッドマウントディスプレイは、バンク２５５を有機膜（OL）、反射層（RL）、および散乱層（SCL）で形成する。その結果、本発明の実施例は、有機発光層２５３から放出される光が反射層（RL）で反射した後、散乱層（SCL）で散乱するので、散乱した光によって、非発光領域に対応するバンク２５５がほぼ視認され得ない。したがって、本発明の実施例に係るヘッドマウントディスプレイは、有機発光表示装置の非発光領域が格子形状に表示されることを防止することができる。
【００９３】
以上、添付した図を参照して、本発明の実施例をより詳細に説明したが、本発明は、必ずしもこれらの実施例に限定されるものではなく、本発明の技術思想を逸脱しない範囲内で多様に変形実施することができる。したがって、本発明の開示された実施例は、本発明の技術思想を限定するためのものではなく説明するためのものであり、これらの実施例により、本発明の技術思想の範囲が限定されるものではない。したがって、以上で記述した実施例は、すべての面で例示的なものであり限定的ではないと理解されなければならない。本発明の保護範囲は、特許請求の範囲によって解釈され、それと同等の範囲内にあるすべての技術思想は、本発明の権利範囲に含まれるものと解釈されなければならない。
【図１】
0006289595.tif 000002
【図２】
0006289595.tif 000003
【図３】
0006289595.tif 000004
【図４】
0006289595.tif 000005
【図５】
0006289595.tif 000006
【図６】
0006289595.tif 000007
【図７】
0006289595.tif 000008
【図８】
0006289595.tif 000009
【図９】
0006289595.tif 000010
【図１０ａ】
0006289595.tif 000011
【図１０ｂ】
0006289595.tif 000012
【図１１】
0006289595.tif 000013
【図１２】
0006289595.tif 000014
【図１３】
0006289595.tif 000015